(57)【特許請求の範囲】
【請求項１】
複数の条に苗を植付ける複数の植付機構と、所定の条に対する植付けを入切させる植付用条止め操作レバーと、複数の条に沿って施肥する施肥機構と、所定の条に対する施肥を入切させる施肥用条止め操作レバーとを備える移植機において、
対応する条の植付用条止め操作レバーと施肥用条止め操作レバーを並設すると共に、植付用条止め操作レバーの操作に施肥用条止め操作レバーを連動させるにあたり、植付用条止め操作レバー及び施肥用条止め操作レバーを、それぞれ付勢力の支点越えにより操作範囲端で位置保持可能に構成し、施肥用条止め操作レバーを切り側から植付用条止め操作レバーに係合させると共に、植付用条止め操作レバーの操作範囲を、施肥用条止め操作レバーが支点越えしない範囲に設定することにより、植付用条止め操作レバーの切り側及び入り側への操作に施肥用条止め操作レバーを連動可能とし、さらに、施肥用条止め操作レバーを単独で切り側に支点越えさせることにより、施肥のみが切りの状態を現出させることを特徴とする移植機。
【請求項２】
前記施肥用条止め操作レバーを植付用条止め操作レバーよりも短くしたことを特徴とする請求項１記載の移植機。
【発明の詳細な説明】
【技術分野】
【０００１】
本発明は、所定の条に対する植付けを入切させる植付用条止め操作レバーと、所定の条に対する施肥を入切させる施肥用条止め操作レバーとが設けられた移植機に関する。
【背景技術】
【０００２】
複数の条に苗を植付ける複数の植付機構と、所定の条に対する植付けを入切させる植付用条止め操作レバーと、複数の条に沿って施肥する施肥機構と、所定の条に対する施肥を入切させる施肥用条止め操作レバーとを備える移植機が知られている。例えば、特許文献１に示される移植機では、対応する条の植付用条止め操作レバーと施肥用条止め操作レバーを並設すると共に、連結ピンを介して植付用条止め操作レバーと施肥用条止め操作レバーを連結し、植付用条止め操作レバーの操作に施肥用条止め操作レバーを連動させるようになっている。また、連結ピンを抜いて植付用条止め操作レバーと施肥用条止め操作レバーの連結を解除すれば、各条止め操作レバーを独立して入切り操作することが可能である。
【先行技術文献】
【特許文献】
【０００３】
【特許文献１】特開２００４−８９１２１号公報
【発明の概要】
【発明が解決しようとする課題】
【０００４】
しかしながら、特許文献１に示される移植機では、植付用条止め操作レバーと施肥用条止め操作レバーの連動やその解除に際して、連結ピンを抜き差しする必要があるので、操作が煩雑になるという問題があるだけでなく、連結ピンの抜き差し状態を誤認すると、施肥の入れ忘れや切り忘れが発生する惧れがある。
【課題を解決するための手段】
【０００５】
本発明は、上記の如き実情に鑑みこれらの課題を解決することを目的として創作されたものであって、複数の条に苗を植付ける複数の植付機構と、所定の条に対する植付けを入切させる植付用条止め操作レバーと、複数の条に沿って施肥する施肥機構と、所定の条に対する施肥を入切させる施肥用条止め操作レバーとを備える移植機において、対応する条の植付用条止め操作レバーと施肥用条止め操作レバーを並設すると共に、植付用条止め操作レバーの操作に施肥用条止め操作レバーを連動させるにあたり、植付用条止め操作レバー及び施肥用条止め操作レバーを、それぞれ付勢力の支点越えにより操作範囲端で位置保持可能に構成し、施肥用条止め操作レバーを切り側から植付用条止め操作レバーに係合させると共に、植付用条止め操作レバーの操作範囲を、施肥用条止め操作レバーが支点越えしない範囲に設定することにより、植付用条止め操作レバーの切り側及び入り側への操作に施肥用条止め操作レバーを連動可能とし、さらに、施肥用条止め操作レバーを単独で切り側に支点越えさせることにより、施肥のみが切りの状態を現出させることを特徴とする。
また、前記施肥用条止め操作レバーを植付用条止め操作レバーよりも短くしたことを特徴とする。
【発明の効果】
【０００６】
請求項１の発明によれば、植付用条止め操作レバーの切り側及び入り側への操作に施肥用条止め操作レバーを連動させることができるだけでなく、施肥用条止め操作レバーを単独で切り側に操作し、施肥のみが切りの状態を現出させることができる。しかも、施肥のみが切りの状態を現出するにあたり、連結ピンの抜き差しが不要であるため、操作が煩雑になることを回避できるだけでなく、抜き差し状態の誤認にもとづく施肥の入れ忘れや切り忘れも防止することができる。
また、請求項２の発明によれば、オペレータは、レバーを見ることなく、レバーの長さの違いで施肥用条止め操作レバーと植付用条止め操作レバーを認識することができるので、走行中であっても施肥用条止め操作レバーと植付用条止め操作レバーの連動操作や単独操作を容易に行うことができる。
【図面の簡単な説明】
【０００７】
【図１】乗用田植機の全体側面図である。
【図２】乗用田植機の全体平面図である。
【図３】プランタケースの内部側面図である。
【図４】施肥機構の斜視図である。
【図５】条止め操作レバーの配置を示す斜視図である。
【図６】条止め操作レバーの配置を示す平面図である。
【図７】条止め操作レバーの配置を示す側面図である。
【図８】植付用条止め操作レバーと施肥用条止め操作レバーの連動構造を示す正面図である。
【図９】植付用条止め操作レバーと施肥用条止め操作レバーの連動構造を示す側面図である。
【発明を実施するための形態】
【０００８】
以下、本発明の実施の形態について、図面に基づいて説明する。図１及び図２において、１は乗用田植機（移植機）の走行機体であって、該走行機体１の後部には、昇降リンク機構２を介して植付作業機３が連結されている。植付作業機３には、前高後低状に傾斜した苗載台４が設けられ、ここに複数のマット苗が左右並列状に載置される。苗載台４に載置されたマット苗は、苗載台４の傾斜や縦送り機構５の送り作用により苗載台４の下端部に向けて移送される。苗載台４の下端部近傍には、植付爪を備える植付条数分（例えば、６条分）の植付機構６が設けられており、この植付機構６によってマット苗が分離され、圃場に植え付けられる。
【０００９】
植付機構６は、図３に示すようなプランタケース７の後端部に設けられている。各プランタケース７は、それぞれ２条分の植付機構６を備えると共に、チェン伝動機構からなる植付動力伝動経路８を介して２条分の植付機構６に動力を伝動するようになっている。また、植付動力伝動経路８には、植付用条止めクラッチ９が介設されており、該植付用条止めクラッチ９を切り操作することにより、２条分の植付けが条止めされるようになっている。尚、植付用条止めクラッチ９を切る際には、対応する条の縦送りクラッチ１０が切られ、対応する２条分の縦送り機構５も停止されるようになっている。
【００１０】
図１、図２及び図４に示すように、乗用田植機には、施肥機構が設けられている。施肥機構は、走行機体１側に設けられる施肥タンク１１と、植付作業機３側に設けられる施肥ノズル１２と、施肥タンク１１内の流動性肥料を施肥ノズル１２に送る施肥ポンプ１３と、施肥ポンプ１３から施肥ノズル１２に至る肥料送り経路で肥料の詰まりを検知する詰まり検知部１４とを備えて構成されている。施肥タンク１１は、２つ備えており、機体前部の左右両側に振分け状に配置されている。
【００１１】
本実施形態の乗用田植機は、２種類の施肥を同時に行うように構成されている。一方の施肥は、植付条の側方に沿い、土中の比較的浅い層に流動性肥料を吐出する側条施肥であり、他方の施肥は、２列の植付条の中間位置で、土中の比較的深い層に流動性肥料を吐出する深層施肥である。そのため、乗用田植機は、側条用施肥ノズル１２Ａと深層用施肥ノズル１２Ｂを別個に備えると共に、側条用施肥ポンプ１３Ａと深層用施肥ポンプ１３Ｂも別個に備えている。深層用施肥ノズル１２Ｂは、側条用施肥ノズル１２Ａよりも長尺に形成され、先端の吐出口を側条用施肥ノズル１２Ａよりも深い位置にセットして施肥作業を行う。尚、図１は、格納姿勢の側条用施肥ノズル１２Ａ及び深層用施肥ノズル１２Ｂを示している。
【００１２】
各施肥ポンプ１３Ａ、１３Ｂは、それぞれ、施肥条数分（例えば、側条施肥６条分、深層施肥３条分）の定容量ポンプを並列状に組み込んでユニット化されており、図示しないトランスミッションから入力軸１３ａに入力される動力で各ポンプを駆動させる。また、各施肥ポンプ１３Ａ、１３Ｂは、施肥を条単位で停止させるための施肥用条止めクラッチ（図示せず）を備えており、植付用条止めクラッチ９が切り操作された際には、対応する条の施肥用条止めクラッチを切って施肥も停止させることが要求される。また、植付用条止めクラッチ９が入りの状態であっても、対応する条の施肥用条止めクラッチを切り、施肥のみを停止させる場合がある。例えば、肥料分が多い圃場においては、施肥量を抑えるために、施肥のみの条止めが行われることがある。
【００１３】
図１及び図２に示すように、走行機体１上には、オペレータが乗車する操縦部１５が構成されている。操縦部１５は、オペレータが座る座席１６と、操縦部１５のフロアを構成するフロアステップ１７と、座席１６側方にフロアステップ１７よりも一段高く形成され、フロアステップ１７の後端と立上がり部１８を介して繋がるリヤサイドステップ１９とを備えている。
【００１４】
図５〜図９に示すように、操縦部１５には、所定の条に対する植付けを入切させる植付用条止め操作レバー２０と、所定の条に対する施肥を入切させる施肥用条止め操作レバー２１とが配置されている。本実施形態では、操縦部１５に３本の植付用条止め操作レバー２０が前後操作自在に配置されており、１本目の植付用条止め操作レバー２０Ａは、座席１６の左側近傍に配置され、左２条に対する植付けを入切させる。また、２本目の植付用条止め操作レバー２０Ｂは、植付用条止め操作レバー２０Ａと座席１６との間に配置され、中２条に対する植付けを入切させる。また、３本目の植付用条止め操作レバー２０Ｃは、座席１６の右側近傍に配置され、右２条に対する植付けを入切させる。尚、本実施形態の植付用条止め操作レバー２０は、深層施肥用の条止め操作レバーに兼用されており、所定の条に対する植付けを入切すると、対応する条の深層施肥も入切されるようになっている。
【００１５】
また、本実施形態では、操縦部１５に６本の施肥用条止め操作レバー２１が前後操作自在に配置されており、各施肥用条止め操作レバー２１は、対応する条の植付用条止め操作レバー２０に並設され、その入切操作に応じて対応する条の側条施肥が１条単位で入切されるようになっている。
【００１６】
次に、植付用条止め操作レバー２０及び施肥用条止め操作レバー２１の配置について、図５〜図９を参照して説明する。
【００１７】
本発明の実施形態に係る乗用田植機では、座席１６の側方に植付用条止め操作レバー２０を配置するにあたり、座席１６とリヤサイドステップ１９との間に、リヤサイドステップ１９よりも上方に膨出するレバー配置部２２を設け、該レバー配置部２２に植付用条止め操作レバー２０を配置している。つまり、リヤサイドステップ１９の一部を利用するのではなく、座席１６とリヤサイドステップ１９との間でリヤサイドステップ１９よりも上方に膨出するレバー配置部２２に植付用条止め操作レバー２０を配置する。これにより、フロアステップ１７とリヤサイドステップ１９の行き来に際し、植付用条止め操作レバー２０が邪魔になったり、誤って植付用条止め操作レバー２０を動かし、意図しない植付けの入切が発生するといった問題を解決することができる。
【００１８】
レバー配置部２２は、各植付用条止め操作レバー２０に対応する複数のレバーガイド溝２２ａを有し、これらのレバーガイド溝２２ａに沿って各植付用条止め操作レバー２０が操作される。また、植付用条止め操作レバー２０のレバーガイド溝２２ａ内には、対応する条の施肥用条止め操作レバー２１が並設されている。例えば、２条単位で植付けの条止めを行い、１条単位で側条施肥の条止めを行う本実施形態においては、各植付用条止め操作レバー２０の左右両側に、２本の施肥用条止め操作レバー２１を並設し、これらの対応する条止めレバー２０、２１を同一のレバーガイド溝２２ａに沿って操作するようになっている。このようにすると、植付用条止め操作レバー２０と施肥用条止め操作レバー２１を別々のレバーガイド溝２２ａに沿って操作する構成に比べ、レバー配置部２２の幅を抑えてリヤサイドステップ１９を広くとれるだけでなく、対応する条の植付用条止め操作レバー２０と施肥用条止め操作レバー２１の認識を容易にして操作性の向上が図れる。しかも、本実施形態では、各条止め操作レバー２０、２１を左右幅の狭い板状としているので、レバー配置部２２の幅をさらに狭くし、リヤサイドステップ１９を幅広にすることができる。
【００１９】
また、本実施形態では、フロアステップ１７を、平面視で座席１６の側方に入り込ませ、入位置（前位置：条止め解除位置）の植付用条止め操作レバー２０を、側面視で立上がり部１８に沿わせる一方、切位置（後位置：条止め位置）の植付用条止め操作レバー２０を、側面視で座席下面１６ａよりも下方に位置させる。例えば、本実施形態では、植付用条止め操作レバー２０の先端側を前方にくの字状に曲った形状とすることにより、入位置の植付用条止め操作レバー２０を、側面視で立上がり部１８に沿わせると共に、切位置における植付用条止め操作レバー２０の高さを抑え、側面視で座席下面１６ａよりも下方に位置させている。このようにすると、入位置、切位置のいずれにおいても植付用条止め操作レバー２０が邪魔になりにくくなると共に、オペレータの肩よりも前側で植付用条止め操作レバー２０の入切操作を行うことが可能になる。
【００２０】
次に、植付用条止め操作レバー２０及び施肥用条止め操作レバー２１の連動構成について、図８及び図９を参照して説明する。
【００２１】
図８及び図９に示すように、植付用条止め操作レバー２０及び施肥用条止め操作レバー２１は、回動支軸２３を中心としてそれぞれ前後回動自在に支持されている。植付用条止め操作レバー２０には、ワイヤ２４を介して対応する条の植付用条止めクラッチ９及び縦送りクラッチ１０に連繋されると共に、ワイヤ２５を介して対応する深層施肥用条止めクラッチに連繋され、施肥用条止め操作レバー２１には、ワイヤ２６を介して対応する側条施肥用条止めクラッチに連繋されている。
【００２２】
植付用条止め操作レバー２０及び施肥用条止め操作レバー２１は、それぞれ付勢力の支点越えにより操作範囲端で位置保持可能に構成されている。本実施形態では、各条止めクラッチを入り側に付勢する弾機の付勢力を利用して条止め操作レバー２０、２１を位置保持するが、別の弾機の付勢力を利用したり、専用の弾機を設けるようにしてもよい。
【００２３】
本実施形態では、対応する条の植付用条止め操作レバー２０と施肥用条止め操作レバー２１を並設すると共に、植付用条止め操作レバー２０の操作に施肥用条止め操作レバー２１を連動させるにあたり、施肥用条止め操作レバー２１を切り側から植付用条止め操作レバー２０の係合ピン２０ａに係合させている。そして植付用条止め操作レバー２０の操作範囲を、施肥用条止め操作レバー２１が支点越えしない範囲に設定することにより、植付用条止め操作レバー２０の切り側及び入り側への操作に施肥用条止め操作レバー２１を連動可能としている。また、施肥のみが切りの状態を現出させる場合は、施肥用条止め操作レバー２１を単独で切り側に支点越えさせる。
【００２４】
このようにすると、植付用条止め操作レバー２０の切り側及び入り側への操作に施肥用条止め操作レバー２１を連動させることができるだけでなく、施肥用条止め操作レバー２１を単独で切り側に操作し、施肥のみが切りの状態を現出させることができる。しかも、施肥のみが切りの状態を現出するにあたり、連結ピンの抜き差しが不要であるため、操作が煩雑になることを回避できるだけでなく、抜き差し状態の誤認にもとづく施肥の入れ忘れや切り忘れも防止することができる。
【００２５】
また、本実施形態では、施肥用条止め操作レバー２１を植付用条止め操作レバー２０よりも短くしてある。このようにすると、オペレータは、レバーを見ることなく、レバーの長さの違いで施肥用条止め操作レバー２１と植付用条止め操作レバー２０を認識することができるので、走行中であっても施肥用条止め操作レバー２１と植付用条止め操作レバー２０の連動操作や単独操作を容易に行うことができる。
【００２６】
叙述の如く構成された本実施形態によれば、複数の条に苗を植付ける複数の植付機構６と、所定の条に対する植付けを入切させる植付用条止め操作レバー２０と、複数の条に沿って施肥する施肥機構と、所定の条に対する施肥を入切させる施肥用条止め操作レバー２１とを備える乗用田植機において、対応する条の植付用条止め操作レバー２０と施肥用条止め操作レバー２１を並設すると共に、植付用条止め操作レバー２０の操作に施肥用条止め操作レバー２１を連動させるにあたり、植付用条止め操作レバー２０及び施肥用条止め操作レバー２１を、それぞれ付勢力の支点越えにより操作範囲端で位置保持可能に構成し、施肥用条止め操作レバー２１を切り側から植付用条止め操作レバー２０に係合させると共に、植付用条止め操作レバー２０の操作範囲を、施肥用条止め操作レバー２１が支点越えしない範囲に設定することにより、植付用条止め操作レバー２０の切り側及び入り側への操作に施肥用条止め操作レバー２１を連動可能とし、さらに、施肥用条止め操作レバー２０を単独で切り側に支点越えさせることにより、施肥のみが切りの状態を現出させることができる。しかも、施肥のみが切りの状態を現出するにあたり、連結ピンの抜き差しが不要であるため、操作が煩雑になることを回避できるだけでなく、抜き差し状態の誤認にもとづく施肥の入れ忘れや切り忘れも防止することができる。
【００２７】
また、施肥用条止め操作レバー２１を植付用条止め操作レバー２０よりも短くしたので、オペレータは、レバーを見ることなく、レバーの長さの違いで施肥用条止め操作レバー２１と植付用条止め操作レバー２０を認識することができ、その結果、走行中であっても施肥用条止め操作レバー２１と植付用条止め操作レバー２０の連動操作や単独操作を容易に行うことができる。
【符号の説明】
【００２８】
１      走行機体
３      植付作業機
６      植付機構
１１    施肥タンク
１２    施肥ノズル
１３    施肥ポンプ
１５    操縦部
２０    植付用条止め操作レバー
２１    施肥用条止め操作レバー
【図１】
0005452100.tif 000002
【図２】
0005452100.tif 000003
【図３】
0005452100.tif 000004
【図４】
0005452100.tif 000005
【図５】
0005452100.tif 000006
【図６】
0005452100.tif 000007
【図７】
0005452100.tif 000008
【図８】
0005452100.tif 000009
【図９】
0005452100.tif 000010